(57)【要約】      （修正有）【課題】設置が容易なパーテーションを提供する。【解決手段】透明なフィルム３０と、複数の枠材１１ａ乃至１１ｄと、枠材の端部を複数篏合可能なジョイント２０と、枠材１１ａ乃至１１ｄとジョイント２０とを組み合わせて構成されるフレーム１０と、フレーム１０の内側に、フィルム３０を着脱可能に連結するフィルム連結具４０と、を備える、パーテーション１。ジョイント２０と枠材１１ａ乃至１１ｄとは着脱可能に篏合されているものとしてもよい。フィルム３０は可撓性を有するものとしてもよい。【選択図】図１
0003227919.tif 000002
【実用新案登録請求の範囲】
【請求項１】
透明なフィルムと、
複数の枠材と、
前記枠材の端部を複数篏合可能なジョイントと、
前記枠材と前記ジョイントとを組み合わせて構成されるフレームと、
前記フレームの内側に、前記フィルムを着脱可能に連結するフィルム連結具と、
を備える、パーテーション。
【請求項２】
前記ジョイントと前記枠材とは着脱可能に篏合されている、
請求項１記載のパーテーション。
【請求項３】
前記フィルムは可撓性を有する、
請求項１又は２記載のパーテーション。
【請求項４】
前記フィルム連結具は、環状部および鉤状部を備え、前記環状部には前記フレームが挿通され、前記鉤状部は前記フィルムの端部の孔に係合されている、
請求項１乃至３のいずれかに記載のパーテーション。
【請求項５】
前記フィルム連結具は、第１鉤状部および第２鉤状部を備え、前記第１鉤状部は前記フレームに係合され、前記第２鉤状部は前記フィルムの端部の孔に係合されている、
請求項１乃至３のいずれかに記載のパーテーション。
【請求項６】
前記フレームの下部に連結され、前記フレームを自立させる足をさらに備える、
請求項１乃至５のいずれかに記載のパーテーション。
【考案の詳細な説明】
【技術分野】
【０００１】
本考案は、パーテーションに関する。
【背景技術】
【０００２】
近時、ウィルスによる感染症予防のため、対面する話者を隔てるパーテーションが使われている。パーテーションは、話者間を物理的に隔てることで、双方の飛沫感染のリスクを低減できる。飛沫感染の低減においては、マスクも使われているが、パーテーションであれば、マスクのように息苦しさを感じずに済む。また、パーテーションを設置しておくことで、マスクを所持していない人が会話する際にも、簡便に感染症対策を講じることができる。
【０００３】
例えば、特許文献１では、熱可塑性樹脂シートの表裏面に、熱可塑性樹脂より強度等の物性に勝る熱硬化性樹脂層を利用した化粧板を配設した吊り下げ式パーテーションが開示されている。
【０００４】
【特許文献１】特開２００２−３２７５８２号公報
【考案の開示】
【考案が解決しようとする課題】
【０００５】
しかしながら、特許文献１記載のパーテーションは、吊り下げ式のため、設置場所が限られる。また、パーテーションを構成する化粧板が層状に構成されているため、重量があり、設置作業も煩雑であった。
【０００６】
そこで、本考案は、容易に組み替えて設置可能なパーテーションを提供することを目的とする。
【課題を解決するための手段】
【０００７】
上記目的を達成するため、本考案の一の観点に係るパーテーションは、透明なフィルムと、複数の枠材と、前記枠材の端部を複数篏合可能なジョイントと、前記枠材と前記ジョイントとを組み合わせて構成されるフレームと、前記フレームの内側に、前記フィルムを着脱可能に連結するフィルム連結具と、を備える。
【０００８】
前記ジョイントと前記枠材とは着脱可能に篏合されているものとしてもよい。
【０００９】
前記フィルムは可撓性を有するものとしてもよい。
【００１０】
前記フィルム連結具は、環状部および鉤状部を備え、前記環状部には前記フレームが挿通され、前記鉤状部は前記フィルムの端部の孔に係合されているものとしてもよい。
【００１１】
前記フィルム連結具は、第１鉤状部および第２鉤状部を備え、前記第１鉤状部は前記フレームに係合され、前記第２鉤状部は前記フィルムの端部の孔に係合されているものとしてもよい。
【００１２】
前記フレームの下部に連結され、前記フレームを自立させる足をさらに備えるものとしてもよい。
【考案の効果】
【００１３】
本考案によれば、自立型のパーテーションを容易に設置することができる。
【図面の簡単な説明】
【００１４】
【図１】本考案の第１実施形態に係るパーテーションを示した外観斜視図である。
【図２】上記パーテーションが有するジョイントの様子を示す部分拡大斜視図であって、（ａ）図１におけるＡ部分の図であり、上記ジョイントの第１例を示す図、（ｂ）上記ジョイントの第２例を示す図である。
【図３】上記パーテーションを組み替えて構成した様子を示す概略斜視図であって、（ａ）上記パーテーションが有するフィルムが三方を囲うように構成した例を示す図、（ｂ）上記フィルムを平面視X状に構成した例を示す図である。
【考案を実施するための形態】
【００１５】
以下、本考案の実施形態に係るパーテーションについて、図を参照して説明する。
図１に示される、本考案の第一の実施形態に係るパーテーション１は、対面する話者を物理的に隔て、話者間で飛沫感染が起こるリスクを低減できるものである。
このパーテーション１は、主として、フレーム１０と、ジョイント２０と、フィルム３０と、フィルム連結具４０と、を有する。
【００１６】
●フレーム
フレーム１０は、パーテーション１の外形を構成する部材である。本実施形態においては、フレーム１０は略矩形の枠体であり、当該枠体の下部両端には、１対の棒状の足１２が枠体に直交して配設されている。１対の足１２は、枠体から前後に突出しており、足１２が設置面、例えば机上に設置されると、枠体は略鉛直に起立する。足１２によれば、パーテーション１を自立させることができ、設置が容易である。
【００１７】
フレーム１０の枠体を構成する枠材１１ａ乃至１１ｄは、例えばアルミ製のパイプにより形成されている。この構成によれば、パーテーション１を軽量にできる。また、足１２を構成する棒状体も同様である。枠材１１ａ乃至１１ｄおよび足１２が同じ部材で形成されている構成によれば、部材を流用することで安価に製造できる。
【００１８】
●ジョイント
フレーム１０は、枠材１１ａ乃至１１ｄがジョイント２０により互いに連結されて構成されている。ジョイント２０は、枠材の端部を差し込み可能な筒状体が多方向に伸び出ているような形状の部材である。筒状体は、前後左右および下方又は上方に、それぞれ互いに直交して伸び出ている。当該筒状体に、枠材の端部を差し込むことで、枠材を真っすぐに接ぎ足したり、枠材を互いに直交して連結させたりすることができる。なお、筒状体同士の角度を保持するため、筒状体同士を斜めに連結する梁が設けられていてもよい。
【００１９】
また、パーテーション１は、互いに直交する２個の筒状体により構成されるＬ字ジョイント２１を有していてもよい。図１においては、Ｌ字ジョイント２１は、足１２の端部に連結されている。この構成によれば、足１２の端部がむき出しになっている構成に比べて、人がぶつかった場合の衝撃等を緩和することができる。ジョイント２０およびＬ字ジョイント２１は、例えば樹脂により形成される部品である。なお、ここでは５個の筒状体を有するジョイント２０およびＬ字ジョイント２１について説明したが、ジョイントに含まれる筒状体の個数は任意であり、パーテーション１は様々なタイプのジョイントを有していてよい。
【００２０】
ジョイント２０は、枠材１１ａ乃至１１ｄと着脱可能に篏合されている。すなわち、ネジ等の部品を用いず、差し込まれているのみであるので、ジョイント２０を枠材１１ａ乃至１１ｄから抜き去ることで、パーテーション１の形状を容易に組み替え可能である。例えば、図３（ａ）に示すように、三方を囲う上面視Ｕ字形状に組むことも可能である。また、図３（ｂ）に示すように、上面視Ｘ字状に組むことも可能である。上面視Ｘ字状に組まれたパーテーションによれば、最大４人で対面して会話する場合にも、それぞれの感染リスクを低減できる。さらに、Ｈ字状に組んだり、枠材をジョイントで継ぎ足してフィルム面積を拡大することも可能である。
【００２１】
このように、ジョイント２０と枠材１１ａ乃至１１ｄを着脱できる構成によれば、話者の人数および位置等に応じて、パーテーション１を容易に組み替えることができる。また、パーテーション１を搬送する際には、ジョイント２０と枠材１１ａ乃至１１ｄとを取り外せるので、荷姿を小さくできる。さらに、パーテーション１が不要になった場合には、簡単に分解し、コンパクトに収納できる。なお、Ｌ字ジョイント２１と足１２も、同様に差し込まれているのみであり、工具を使わず容易に着脱可能である。
【００２２】
●フィルム
フィルム３０は、フレーム１０に保持される、薄い透明な部材である。フィルム３０は透明であるので、話者がパーテーション１を隔てている場合にも、互いの顔が見えるため話しやすい。
【００２３】
フィルム３０は、フレーム１０に設置されていない状態においては人の手で簡単に丸められる程度の厚さであり、丸めて小さくして運ぶことができる。また、仮にアクリル製の薄板をフレーム１０の枠体で保持するものとすると、落下等の衝撃で割れる可能性があり、搬送時にも強固な梱包が必要である。これに対し、上述の通り、フィルム３０は丸められるほどの可撓性を有しているため、万一パーテーション１が転倒しても、衝撃で破損しづらい。また、搬送も簡便である。ひいては、破損断面による怪我などが起きにくく、安全である。
【００２４】
フィルム３０は、耐薬性の高い材質で構成されている。フィルム３０は、例えばＰＥＴ（ポリエチレンテレフタレート）で形成されている。アクリル製の薄板の場合には、薬剤による亀裂および破損が生じるおそれがある。これに対し、フィルム３０がＰＥＴで形成されている構成によれば、アルコール等の薬剤で拭いても亀裂が生じず、破損も起きにくい。パーテーション１は飛沫感染を物理的に防止するためのものであり、フィルム３０には感染症を引き起こす細菌又はウィルスが付着している蓋然性が高い。耐薬性に優れたフィルム３０を清拭することで、当該パーテーション１に細菌又はウィルスが残留することを防止できる。
【００２５】
上述の通り、フィルム３０は非常に薄く、軽量な素材で形成されているので、大型に構成しても軽量である。
【００２６】
フィルム３０は、フレーム１０の枠体に対応する形状であり、例えば略矩形である。フィルム３０の端部には、外縁に沿って複数の孔３１が形成され、それぞれの孔３１にはフィルム連結具４０が連結される。孔３１は、フィルム３０の端部に沿って略等間隔に複数形成されており、当該孔３１に挿通されるフィルム連結具４０によって、フィルム３０とフレーム１０の隙間を飛沫が通過しない程度に両者を連結できるようになっている。なお、孔３１は三方の外縁に沿って形成されていて、下端の外縁には形成されておらず、フィルム３０下方においてはフレーム１０との間が開放されている。
【００２７】
●フィルム連結具
図２（ａ）に示されるように、フィルム連結具４０は、フィルム３０とフレーム１０とを着脱可能に連結する部材である。フィルム連結具４０は、例えば樹脂製であり、細長い平板が湾曲することで環状部４１と鉤状部４２を有する、「９」の字型の部材である。環状部４１にはフレーム１０が挿通される。鉤状部４２はフィルム３０の孔３１に係合され、フィルム３０をフレーム１０に吊り下げている。この構成によれば、フレーム１０を分解しなくても、フィルム３０をフレーム１０から容易に着脱できるため、フィルム３０の洗浄および交換が容易である。また、運搬時にフィルム３０を取り外すこともできる。
【００２８】
図２（ｂ）は、第２例に係るフィルム連結具４０ｂを示す図である。フィルム連結具４０ｂは、第１鉤状部４１ｂおよび第２鉤状部４２ｂを備え、第１鉤状部４１ｂはフレーム１０に係合され、第２鉤状部４２ｂはフィルム３０の孔３１に係合される。この構成によれば、フレーム１０への着脱が一層容易である。また、第２鉤状部４２ｂは、端部を折り込んで環状に固定することで、フィルム３０の脱落を防止することができる。
【００２９】
図３（ｂ）の実施形態に係るパーテーション１ｂは、２個の枠体が略直交して交差したような形状のフレーム１０ｂと、互いに同一形状の４枚のフィルム３０ｂ−１乃至３０ｂ−４とにより構成されている。フレーム１０ｂの中央部には、枠材１１ｅが起立しており、フィルム３０ｂ−１乃至３０ｂ−４と連結されている。この形状の場合には、フィルム３０を保持する枠体により自立することができるため、足にあたる枠材は不要である。各枠体の端部にはＬ字ジョイント２１が配設されている。
【００３０】
フィルム３０ｂ−１乃至３０ｂ−４の形状は略同一であり、それぞれのフィルム３０ｂ−１乃至３０ｂ−４は、上側の端辺および左右端辺に沿って複数の孔３１が穿設されている。ここで、枠材１１ｅに係合するフィルム連結具４０は、フィルム３０ｂ−１に係合するものと、フィルム３０ｂ−２に係合するものと、が互い違いになっている。この構成によれば、互いに同一形状の複数のフィルム３０ｂを用いても、枠材１１ｅにおいて、フィルム連結具４０が干渉することがない。
【００３１】
以上の本実施形態に係るパーテーション１によれば、自立型のパーテーションを容易に設置することができる。また、フレームの枠材、ジョイント、およびフィルムがそれぞれ工具を使うことなく着脱可能であるので、組立および解体が容易である。枠材の径が統一されており、ジョイントと組み合わせることで様々な形態のパーテーションを組み立てることができる。フィルムは耐薬性に優れ、薬剤での洗浄も可能である。さらに、フィルムは可撓性があり、丸めることもできるので、破損しにくく、搬送しやすい。枠材、ジョイントおよびフィルムをそれぞれ解体し、フィルムを丸めることで荷姿が小さくなり、搬送も簡便である。ひいては、搬送コストを低減できる。
なお、本説明においては、机上に載置するデスクトップ型のパーテーションについて説明したが、本考案に係るパーテーションの構造は、床および地面に建てるパーテーションにも適用可能である。
【符号の説明】
【００３２】
１      ：パーテーション
１０    ：フレーム
２０    ：ジョイント
３０    ：フィルム
４０    ：フィルム連結具
【図１】
0003227919.tif 000003
【図２】
0003227919.tif 000004
【図３】
0003227919.tif 000005